(57)【要約】【課題】長期間の使用においても、汚れにくいシューズを提供する【解決手段】ソールとアッパーとからなるシューズにおいて、関東ローム層土砂による乾式固体土汚れ試験においてグレースケールによる汚れ度合の評価が３級以上である材料をアッパーの少なくとも一部に用いたことを特徴とするシューズ。具体的には、関東ローム層土砂による乾式固体土汚れ試験においてグレースケールによる汚れ度合の評価が３級以上である材料を、ベロ部分、履き口表部分、履き口裏部分、甲被裏部分、中敷、紐等に用いると良い。【選択図】図３
2005296420.tif 000002
【特許請求の範囲】
【請求項１】
ソールとアッパーとからなるシューズにおいて、
関東ローム層土砂による乾式固体土汚れ試験においてグレースケールによる汚れ度合の評価が３級以上である材料をアッパーの少なくとも一部に用いたことを特徴とするシューズ。
【請求項２】
請求項１の材料をベロ部分および／または履き口表部分および／または履き口裏部分に用いたことを特徴とするシューズ。
【請求項３】
請求項１の材料を甲被裏部分に用いたことを特徴とするシューズ。
【請求項４】
請求項１の材料を中敷に用いたことを特徴とするシューズ。
【請求項５】
請求項１の材料を紐に用いたことを特徴とするシューズ。
【発明の詳細な説明】
【技術分野】
【０００１】
本発明は、長期間の使用においても、汚れが付着しにくいシューズに関する。
【背景技術】
【０００２】
従来から、長期間の使用における水や油による汚れに対しての効果を発揮するシューズはあった。
【０００３】
例えば、特開平８−２５２１０４には、電子線硬化型シリコーン液状体を塗布し、電子線を照射し、硬化した薄膜を形成したシューズについて開示されている。
【特許文献１】特開平８−２５２１０４号公報
【発明の開示】
【発明が解決しようとする課題】
【０００４】
特開平８−２５２１０４号公報に開示されるシューズは、水や油による汚れに対しては効果を発揮した。しかし、シューズの実使用状況における、空気中の浮遊ほこりや土砂などの固体が物理的な吸着や電気的な吸着により付着する乾いた泥による汚れに対しては効果が少なく、使用開始後比較的短期間で汚れが目立ってきてしまうという問題点があった。
【０００５】
本発明は、前記従来の問題を解決するため、長期間の使用においても、汚れにくいシューズを提供することを目的とする。
【課題を解決するための手段】
【０００６】
前記目的を達成するため、請求項１に記載の発明は、ソールとアッパーとからなるシューズにおいて、関東ローム層土砂による乾式固体土汚れ試験においてグレースケールによる汚れ度合の評価が３級以上である材料をアッパーの少なくとも一部に用いたことを特徴とするシューズに関するものである。
【０００７】
前記目的を達成するため、請求項２に記載の発明は、請求項１の材料をベロ部分および／または履き口表部分および／または履き口裏部分に用いたことを特徴とするシューズに関するものである。
【０００８】
前記目的を達成するため、請求項３に記載の発明は、請求項１の材料を甲被裏部分に用いたことを特徴とするシューズに関するものである。
【０００９】
前記目的を達成するため、請求項４に記載の発明は、請求項１の材料を中敷に用いたことを特徴とするシューズに関するものである。
【００１０】
前記目的を達成するため、請求項５に記載の発明は、請求項１の材料を紐に用いたことを特徴とするシューズに関するものである。
【発明の効果】
【００１１】
本発明は、長期間の使用においても、汚れにくいシューズを提供できる。
【発明を実施するための最良の形態】
【００１２】
以下、本発明の実施態様を添付図面に基づいて説明する。
【００１３】
本発明のシューズは、アッパー材料として、関東ローム層土砂による乾式固体土汚れ試験後のグレースケールによる汚れ度合の評価が３級以上である材料を用いた点に特徴がある。
【００１４】
ここで、関東ローム層土砂による乾式固体土汚れ試験について説明する。
まず、試験対象のアッパー材料を８ｃｍ×８ｃｍの大きさに切り抜いたものを４枚準備する。次に、ポリエチレン袋（約３８×３２ｃｍ）に試験対象のアッパー材料と関東ローム層土砂（ＪＩＳ  Ｚ  ８９０１  試験用粉体  ８種）を０．５グラム入れた後、直径約３２ｃｍの円形状に膨らませて、口を輪ゴムで縛る。その後、ピリング試験機（ＪＩＳ  Ｌ  １０７６  ＩＣＩ形試験機）の回転箱に、円形状にしたポリエチレン袋を入れて、回転箱中で１時間攪拌する。
攪拌後、ポリエチレン袋よりアッパー材料を取り出し、未試験のアッパー材料に対しての汚れ度合を、汚染用グレースケール（ＪＩＳ  Ｌ  ０８０５）で目視にて評価する。
【００１５】
上記の関東ローム層土砂による乾式固体土汚れ試験の汚れ度合いが、５級〜１級の材料を用い、試験用シューズＡ〜Ｉを作成した。
図２に示す表は、試験用シューズＡ〜Ｉとそれに用いたアッパー材料についての関東ローム層土砂による乾式固体土汚れ試験の汚れ度合いの一覧である。
また、試験用シューズＡ〜Ｉを被験者に着用させ、土のグラウンド上で５００ｋｍの走行を行った。
次に、走行後の試験用シューズＡ〜Ｉを８９名のモニターに見せ、それぞれのシューズに対して、そのシューズが汚れていないと判断出来るかどうかを回答させた。図３はその結果であり、各試験用シューズＡ〜Ｉについて、汚れていないと判断した人の人数を棒グラフで表したものである。
【００１６】
図３に示すように、Ａ、Ｂ、Ｃ、Ｄ、Ｅのシューズについては、７０人以上の人が汚れていないと判断した。
ここで、表２に示すように、Ａ、Ｂ、Ｃ、Ｄ、Ｅのシューズは関東ローム層土砂による乾式固体土汚れ試験後のグレースケールによる汚れ度合の評価が３級以上の材料をアッパー材料に用いたシューズである。
このことより、アッパー材料として、関東ローム層土砂による乾式固体土汚れ試験後のグレースケールによる汚れ度合の評価が３級以上の材料をアッパー材料として用いることによって、汚れ難いシューズが得られることが分かる。
【００１７】
図１は本発明の一実施態様によるシューズ１の側面図である。
図１に示すように、アッパー２は大きく区分して、甲横部分２１とベロ部分２２と履き口表部分２３と履き口裏部分２４と爪先部分２５と甲被裏部分２６と中敷２７と紐３とからなる。
アッパー２の少なくとも１部を、関東ローム層土砂による乾式固体土汚れ試験後のグレースケールによる汚れ度合の評価が３級以上の材料で構成することによって、グラウンドとの接触による土砂あるいはグラウンドからの飛散した土砂や浮遊ほこりがアッパーに付着し難くなり、アッパーの汚れが軽減され、防汚効果に優れたシューズを得られる。
【００１８】
ベロ部分２２および／または履き口表部分２３および／または履き口裏部分２４を、関東ローム層土砂による乾式固体土汚れ試験後のグレースケールによる汚れ度合の評価が３級以上の材料で構成しても良い。
ベロ部分２２および／または履き口表部分２３および／または履き口裏部分２４を、関東ローム層土砂による乾式固体土汚れ試験後のグレースケールによる汚れ度合の評価が３級以上の材料で構成することにより、靴の着脱時に土砂で汚れた手指を介してベロ部分や履き口表部分や履き口裏部分に付着する汚れを、軽減することができる。
【００１９】
甲被裏部分２６を、関東ローム層土砂による乾式固体土汚れ試験後のグレースケールによる汚れ度合の評価が３級以上の材料で構成しても良い。
甲被裏部分２６を、関東ローム層土砂による乾式固体土汚れ試験後のグレースケールによる汚れ度合の評価が３級以上の材料で構成することにより、メッシュ材料の編み目の隙間や、靴に開けられた通気孔、あるいは履き口部分等から入り込んだ浮遊ほこりや土砂が甲被裏部分に付着し難くなり、甲被裏部分の汚れを軽減することが出来る。
【００２０】
中敷２７を、関東ローム層土砂による乾式固体土汚れ試験後のグレースケールによる汚れ度合の評価が３級以上の材料で構成しても良い。
中敷２７を、関東ローム層土砂による乾式固体土汚れ試験後のグレースケールによる汚れ度合の評価が３級以上の材料で構成することにより、メッシュ材料の編み目の隙間や、靴に開けられた通気孔、あるいは履き口部分等から入り込んだ浮遊ほこりや土砂が中敷２７に付着し難くなり、中敷２７の汚れを軽減することが出来る。
【００２１】
紐３を、関東ローム層土砂による乾式固体土汚れ試験後のグレースケールによる汚れ度合の評価が３級以上の材料で構成することにより、靴の着脱時に土砂で汚れた手指を介して紐３に付着する汚れを、軽減することができる。
【００２２】
なお、シューズ１のアッパー２を構成する材料として、天然皮革や人工皮革、合成皮革、メッシュ、編物、織物等が考えられるが、いずれの材料に関しても、関東ローム層土砂による乾式固体土汚れ試験後のグレースケールによる汚れ度合の評価が３級以上の材料とすることによって、効果的に汚れを防止する事が出来る。
【００２３】
また、アッパー２を構成する材料のいずれか一部が汚れている場合、人はシューズ１全体が汚れているような印象を受ける。従って、アッパー２を構成する材料全てを、関東ローム層土砂による乾式固体土汚れ試験後のグレースケールによる汚れ度合の評価が３級以上の材料で構成することによって、シューズ全体が汚れていない印象を与えることが出来る。
【産業上の利用可能性】
【００２４】
本発明の活用例としては、陸上、ランニング、サッカーの競技用のスポーツ用シューズは元より、ウォーキングや紳士シューズ、婦人靴等の歩行のみを目的としたシューズでの使用においても好適である。
【図面の簡単な説明】
【００２５】
【図１】本発明の一実施態様によるシューズ１の側面図である。
【図２】試験用シューズＡ〜Ｉとそれに用いたアッパー材料についての関東ローム層土砂による乾式固体土汚れ試験の汚れ度合いの一覧である。
【図３】各試験用シューズＡ〜Ｉについて、汚れていないと判断した人の人数を棒グラフで表したものである。
【符号の説明】
【００２６】
１：シューズ
２：アッパー
２１：甲横部分
２２：ベロ部分
２３：履き口表部分
２４：履き口裏部分
２５：爪先部分
２６：甲被裏部分
２７：中敷
３：紐
【図１】
2005296420.tif 000003
【図２】
2005296420.tif 000004
【図３】
2005296420.tif 000005